(57)【要約】【課題】薄型省スペースに対応し、各信号間のクロストークが十分小さいマルチケーブルおよびマルチジャックを提供する。【解決手段】マルチプラグ２１は、複数のプラグ１１〜１４に対応する各信号を取り扱う複数の端子が一列に配置されているとともに、その列の両端に音声信号および映像信号を取り扱う端子群を配した。音声信号を取り扱う端子群と、コンポジットビデオ信号および輝度信号/搬送色信号を取り扱う端子群とがマルチプラグの両端に配置され、かつ各信号端子間に接地端子を配置する。【選択図】      図２
2006269383.tif 000002
【特許請求の範囲】
【請求項１】
一端側に異なる信号を取り扱う複数のプラグを、他端側にそれらのプラグを１つとして取り扱うマルチプラグを有するマルチケーブルであって、
前記マルチプラグは、前記複数のプラグに対応する各信号を取り扱う複数の端子が一列に配置されているとともに、その列の両端に音声信号および映像信号を取り扱う端子群を配したことを特徴とするマルチケーブル。
【請求項２】
前記一端側に接続されたプラグとして、コンポジットビデオ信号を取り扱うプラグと、輝度信号/搬送色信号を分離して取り扱うプラグと、左右の音声信号を取り扱う２つのプラグとを含み、
前記音声信号を取り扱う端子群と、前記コンポジットビデオ信号および前記輝度信号/搬送色信号を取り扱う端子群とが前記マルチプラグの両端に配置され、かつ各信号端子間に接地端子を配置することを特徴とする請求項１に記載のマルチケーブル。
【請求項３】
前記複数の端子は1列×１０ピンから成り、一方端に左右の音声信号端子を接地端子を挟んで配置し、他方端には輝度信号端子および搬送色信号端子を接地端子を挟んで配置し、
前記搬送色信号端子と接地端子を挟んで隣接するピンにコンポジットビデオ信号端子を配置し、前記音声信号を取り扱う端子群と前記コンポジットビデオ信号を取り扱う端子群の間に接地端子とプラグ挿入検出スイッチ端子を配置することを特徴とする請求項２に記載のマルチケーブル。
【請求項４】
前記マルチケーブルの前記マルチプラグに１対１で対応する複数の端子でなる端子配列を有するとともに、該マルチプラグに接続可能に構成され、
各端子は、対応する前記マルチプラグの端子が取り扱う信号を取り扱うように設定されていることを特徴とするマルチジャック。
【請求項５】
前記複数の端子は1列×１０ピンから成り、一方端に左右の音声信号端子を接地端子を挟んで配置し、他方端には輝度信号端子および搬送色信号端子を接地端子を挟んで配置し、
前記搬送色信号端子と接地端子を挟んで隣接するピンにコンポジットビデオ信号端子を配置し、前記音声信号を取り扱う端子群と前記コンポジットビデオ信号を取り扱う端子群の間に接地端子とプラグ挿入検出スイッチ端子を配置することを特徴とする請求項４に記載のマルチジャック。
【発明の詳細な説明】
【技術分野】
【０００１】
本発明は、一端側に設けられた複数のプラグを他端側で１つとして取り扱うマルチケーブルおよびこれに対応したマルチジャックに関するものである。
【背景技術】
【０００２】
従来、ビデオカメラで撮った映像や音声をテレビ等の表示装置で視聴する場合、ビデオカメラに設けられた映像及び音声の出力端子と、テレビ等の表示装置に設けられた映像および音声の入力端子とをケーブルによって接続している。
【０００３】
テレビ等の表示装置には、映像および音声信号の入力端子としてＲＣＡ端子（ピンジャック）が設けられているが、さらにより高画質な映像信号用のジャックとしてＹ（輝度信号）/Ｃ（搬送色信号）を分離して扱うＳ端子が設けられているものもある。
【０００４】
一方、ビデオカメラの側の出力端子としては、筐体が大きい場合は、映像および音声信号用のＲＣＡ端子（ピンジャック）を備えていたり、Ｓ端子を備えているものや、筐体が小型の場合には、コンポジットビデオ信号および音声信号をまとめて１つのジャックにしているものもある。さらに筺体を小型するために、図８のようにコンポジットビデオ信号（１１３）と音声信号（１１１，１１２）とＹ（輝度信号）/Ｃ（搬送色信号）（１１４）とをまとめて１つにしたマルチケーブル１０１に対応するマルチジャック１２2（図１０）を備えたものもある（特許文献１等）。
【０００５】
マルチジャック１２２およびこれに嵌合するマルチプラグ１２１（図８、図９）の各端子の配置は、図９および図１０のように２列×５ピンから成る。各列の一方端の２ピンそれぞれに音声信号の左右を配置し、各列の他方端の２ピンそれぞれにＹ（輝度信号）とＣ（搬送色信号）とを配置し、Ｙ（輝度信号）のピンと隣接するピンにコンポジットビデオ信号を配置し、各列の中央となる２ピンそれぞれにＧＮＤを配置してる。
【０００６】
【特許文献１】特開２００３‐７７５８０号公報
【発明の開示】
【発明が解決しようとする課題】
【０００７】
しかしながら、上述した従来のマルチプラグ１２１およびマルチジャック１２２では、取り扱う複数の端子が２列の配置となっているため、厚みを小さくすることが困難であるという問題がある。また、Ｙ（輝度信号）を取り扱うピンに対してＣ（搬送色信号）を取り扱うピンとコンポジットビデオ信号を取り扱うピンが隣接しているため、Ｙ（輝度信号）に対するＣ（搬送色信号）が漏れこむクロストークが十分に小さくすることができない。このためＧＮＤのインピーダンスが高かったり、Ｃ（搬送色信号）の周波数ずれやテレビ等の表示装置の組み合わせによっては偽色として現れてしまうという問題があった。
【０００８】
そこで、本発明の目的は、上記の欠点を解決するために薄型省スペースに対応し、各信号間のクロストークが十分小さいマルチケーブルおよびマルチジャックを提供することにある。
【課題を解決するための手段】
【０００９】
本発明のマルチケーブルは、一端側に異なる信号を取り扱う複数のプラグを、他端側にそれらのプラグを１つとして取り扱うマルチプラグを有するマルチケーブルであって、前記マルチプラグは、前記複数のプラグに対応する各信号を取り扱う複数の端子が一列に配置されているとともに、その列の両端に音声信号および映像信号を取り扱う端子群を配したことを特徴とする。
【００１０】
また、本発明のマルチケーブルにおいて、前記一端側に接続されたプラグとして、コンポジットビデオ信号を取り扱うプラグと、輝度信号/搬送色信号を分離して取り扱うプラグと、左右の音声信号を取り扱う２つのプラグとを含み、前記音声信号を取り扱う端子群と、前記コンポジットビデオ信号および前記輝度信号/搬送色信号を取り扱う端子群とが前記マルチプラグの両端に配置され、かつ各信号端子間に接地端子を配置することを特徴とする。
【００１１】
また、本発明のマルチケーブルにおいて、前記複数の端子は1列×１０ピンから成り、一方端に左右の音声信号端子を接地端子を挟んで配置し、他方端には輝度信号端子および搬送色信号端子を接地端子を挟んで配置し、前記搬送色信号端子と接地端子を挟んで隣接するピンにコンポジットビデオ信号端子を配置し、前記音声信号を取り扱う端子群と前記コンポジットビデオ信号を取り扱う端子群の間に接地端子とプラグ挿入検出スイッチ端子を配置することを特徴とする。
【００１２】
また、本発明のマルチジャックは、前記マルチケーブルの前記マルチプラグに１対１で対応する複数の端子でなる端子配列を有するとともに、該マルチプラグに接続可能に構成され、各端子は、対応する前記マルチプラグの端子が取り扱う信号を取り扱うように設定されていることを特徴とする。
【００１３】
また、本発明のマルチジャックにおいて、前記複数の端子は1列×１０ピンから成り、一方端に左右の音声信号端子を接地端子を挟んで配置し、他方端には輝度信号端子および搬送色信号端子を接地端子を挟んで配置し、前記搬送色信号端子と接地端子を挟んで隣接するピンにコンポジットビデオ信号端子を配置し、前記音声信号を取り扱う端子群と前記コンポジットビデオ信号を取り扱う端子群の間に接地端子とプラグ挿入検出スイッチ端子を配置することを特徴とする。
【発明の効果】
【００１４】
本発明によればその典型的態様において、一端側の各プラグと対応する各信号を取り扱う複数の端子が一列に配置されているとともに、音声信号を取り扱う端子群とコンポジットビデオ信号およびＹ（輝度信号）/Ｃ（搬送色信号）とを取り扱う端子群とが一列の両端に配置され、かつ各信号間にＧＮＤを配置されている。これにより薄型省スペースに対応し各信号間のクロストークが十分小さいマルチプラグを提供することができる。
【００１５】
また、本発明によれば、複数の端子は1列×１０ピンから成り、一方端に音声信号の左右をＧＮＤを挟んで配置し、他方端にＹ（輝度信号）とＣ（搬送色信号）とをＧＮＤを挟んで配置し、Ｃ（搬送色信号）とＧＮＤを挟んで隣接するピンにコンポジットビデオ信号を配置し、音声信号を取り扱う端子群とビデオ信号を取り扱う端子群の間にＧＮＤとプラグ挿入検出スイッチ端子を配置する。これにより薄型省スペースに対応し、コンポジットビデオ信号と音声信号間のクロストークおよびＹ（輝度信号）とＣ（搬送色信号）間のクロストークおよびＹ（輝度信号）とコンポジットビデオ信号間のクロストークが十分小さいマルチプラグを提供することができる。
【００１６】
また、本発明によれば、上記マルチプラグと同じ端子配置がなされているので、薄型省スペースに対応し、コンポジットビデオ信号と音声信号間のクロストークおよびＹ（輝度信号）とＣ（搬送色信号）間のクロストークおよびＹ（輝度信号）とコンポジットビデオ信号間のクロストークが十分小さいマルチジャックを提供することができる。
【発明を実施するための最良の形態】
【００１７】
以下、図面に基づき、本発明のおける好適な実施の形態を説明する。
図１は本発明の実施形態に係るマルチプラグを備えたマルチケーブルを表す図である。同図においてマルチケーブル１は、一端側にコンポジットビデオ信号を取り扱うプラグ１３と、音声信号を取り扱うプラグ１１，１２と、Ｙ（輝度信号）/Ｃ（搬送色信号）を分離して取り扱うプラグ（Ｓ端子）１４とを含む複数のプラグが接続され、他端側にはプラグ１１〜１４と対応する各信号を取り扱う１つのマルチプラグ２１が接続されている。
【００１８】
例えば、プラグ１１は赤色の外装で音声信号（右）を取り扱い、プラグ１２は白色の外装で音声信号（左）を取り扱い、プラグ１３は黄色の外装でコンポジットビデオ信号を取り扱い、プラグ１４はＳ端子であり、Ｙ（輝度信号）とＣ（搬送色信号）とを分離して取り扱うものである。一方、これらのプラグ１１〜１４をまとめる１つのプラグとして取り扱うマルチプラグ２１は、例えば図２のように１列×１０ピンから成り、薄型省スペース対応となっている。マルチプラグ２１は、マルチプラグ２１に勘合するように対応したマルチジャック２２（図４）に接続される。
【００１９】
マルチケーブル１の他端側にかかるマルチプラグ２１が接続されていることで、コンポジット信号、音声信号、Ｙ/Ｃ分離信号をまとめて取り扱うことができる。このため機器側にはマルチジャック２２を１つ設ければよく、機器の小型化を図ることができる。
【００２０】
また、マルチプラグ２１とマルチプラグ２２の端子配列を１列×１０ピンとすることで、従来よりも薄型省スペース対応が実現できる。ちなみに、本発明のマルチジャック２２は従来のマルチプラグジャック１２２（図１０）に対して、厚みで４５％、幅で９５％、奥行きで８６％と小さくなっており、特に薄型対応の点で格段に優れていることが分かる。
【００２１】
図３は、マルチケーブル１の芯線接続対応図である。図において、左側の表がマルチプラグ２１のピン番号と信号種類、右側の表がピンプラグ１１〜１３およびＳ端子用のプラグ１４のピン番号を示している。
【００２２】
図２および図４にそれぞれ示すマルチプラグ２１およびマルチジャック２２のピン配列は、クロストークを十分小さくするため、音声信号を取り扱う端子群と映像信号を取り扱う端子群とを１列の両端に配置し、かつ各信号間にＧＮＤを配置している。
【００２３】
図５〜図７は、マルチケーブル１とマルチジャック２２とを接続した系におけるクロストークの測定結果を示す図である。
図５は、マルチジャック２２の８ピンよりＣ（搬送色信号）を入力し、マルチケーブル１の一方端に接続されている各プラグ１１〜１４の各端子であるコンポジットビデオ信号用端子とＹ（輝度信号）用端子と左音声信号用端子と右音声信号用端子でのクロストーク測定結果である。左列はプラグ１４（Ｓ端子）の終端有、右列は終端無での測定結果である。
【００２４】
図６は、マルチジャック２２の１０ピンよりＹ（輝度信号）を入力し、マルチケーブル１の一方端に接続されている各プラグ１１〜１４の各端子であるコンポジットビデオ信号用端子とＣ（搬送色信号）用端子と左音声信号用端子と右音声信号用端子でのクロストーク測定結果である。左列はプラグ１４（Ｓ端子）の終端有、右列は終端無での測定結果である。
【００２５】
図７は、マルチジャック２２の６ピンよりコンポジットビデオ信号を入力し、マルチケーブル１の一方端に接続されているプラグ１１、１２、１４の各端子であるＹ（輝度信号）用端子とＣ（搬送色信号）用端子と左音声信号用端子と右音声信号用端子でのクロストーク測定結果である。左列はプラグ１３（コンポジットビデオ信号端子）の終端有、右列は終端無での測定結果である。
【００２６】
図５〜図７のクロストーク測定結果より分かるように、マルチプラグ２１、マルチジャック２２のピン配列として、一列の両端に音声信号群と映像信号群を離して配置し、かつ各信号間にＧＮＤを配置することによって、各信号間のクロストークとも  ４６ｄＢ以上となって十分小さい。これによりＧＮＤのインピーダンスが高かったり、Ｃ（搬送色信号）の周波数ずれやテレビ等の表示装置の組み合わせによっても偽色として現れてしまうという問題は発生しない。
【００２７】
以上のようにマルチプラグとマルチジャックの複数の端子を一列に配置し、音声信号を取り扱う端子群と映像信号を取り扱う端子群とをその両端に配置し、かつ各信号間にＧＮＤを配置することで、薄型省スペース対応しクロストークの十分小さいマルチプラグとマルチジャックを提供することができる。
【図面の簡単な説明】
【００２８】
【図１】本発明の実施形態におけるマルチプラグを用いたマルチケーブルを表す図である。
【図２】本発明の実施形態におけるマルチプラグとそのピン配列を表す図である。
【図３】本発明の実施形態におけるマルチケーブルの芯線接続対応図である。
【図４】本発明の実施形態におけるマルチジャックとそのピン配列を表す図である。
【図５】本発明の実施形態に係るマルチケーブルとマルチジャックを接続した系におけるクロストーク結果を示す図である。
【図６】本発明の実施形態に係るマルチケーブルとマルチジャックを接続した系におけるクロストーク結果を示す図である。
【図７】本発明の実施形態に係るマルチケーブルとマルチジャックを接続した系におけるクロストーク結果を示す図である。
【図８】従来例のマルチプラグを用いたマルチケーブルを表す図である。
【図９】従来例のマルチプラグとそのピン配列を表す図である。
【図１０】従来例のマルチジャックとそのピン配列を表す図である。
【符号の説明】
【００２９】
１，１０１  マルチケーブル
１１，１２，１１１，１１２  音声信号用ピンプラグ
１３，１１３  コンポジットビデオ信号用ピンプラグ
１４，１１４  Ｓ端子用プラグ
２１，１２１  マルチプラグ
２２，１２２  マルチジャック
【図１】
2006269383.tif 000003
【図２】
2006269383.tif 000004
【図３】
2006269383.tif 000005
【図４】
2006269383.tif 000006
【図５】
2006269383.tif 000007
【図６】
2006269383.tif 000008
【図７】
2006269383.tif 000009
【図８】
2006269383.tif 000010
【図９】
2006269383.tif 000011
【図１０】
2006269383.tif 000012